(57)【要約】【課題】  防鳥用索条の張架作業の容易性および円滑性を向上することができる防鳥用索条の張架方法を提供する。【解決手段】  複数の鳥害防止具１の各挿通部１２に治具１１を挿通して、防止具組立て体Ｕを作製し、防止具組立て体Ｕを間接活線工具によって把持し、防止具組立て体Ｕを架空電線２に装着する。架空電線２に装着した防止具組立て体Ｕの複数の鳥害防止具１のそれぞれは、間接活線工具によって把持し、治具１１の長手方向に沿って順次移動させて、治具１から離脱させ、架空電線２に互いに間隔をあけて固定することによって、各鳥害防止具１の間にわたって防鳥用索条２０を張架する。【選択図】      図１
2019047615.tif 000002
【特許請求の範囲】
【請求項１】
防鳥用索条が巻回された複数の鳥害防止具を電線に間隔をあけて装着して、該電線の上方に前記防鳥用索条を該電線に沿って張架する防鳥用索条の張架方法であって、
棒状の治具と、該治具を挿通可能な挿通部を有し、前記防鳥用索条が巻回された複数の鳥害防止具とを準備する器具準備工程と、
前記複数の鳥害防止具の各挿通部に前記治具を挿通して、前記治具が取付けられた前記複数の鳥害防止具の防止具組立て体を作製する組立て体作製工程と、
前記防止具組立て体の前記治具を間接活線工具によって把持し、前記防止具組立て体を前記電線に装着する装着工程と、
前記電線に装着された前記防止具組立て体の前記複数の鳥害防止具のそれぞれを、前記間接活線工具によって把持し、前記治具の長手方向に沿って順次移動させて前記治具から離脱させ、前記電線に互いに間隔をあけて固定し、各鳥害防止具間に前記防鳥用索条を張架する索条張架工程と、を含むことを特徴とする防鳥用索条の張架方法。
【発明の詳細な説明】
【技術分野】
【０００１】
本発明は、架空電線に間接活線工法によって、ワイヤおよびテグスなどの防鳥用索条を架空電線の上方に張架するための防鳥用索条の張架方法に関する。
【背景技術】
【０００２】
従来から、架空電線への鳥の飛来および営巣などを防止するために、架空電線に複数の鳥害防止具を互いに間隔をあけて取り付け、各鳥害防止具に掛け止められた防鳥用索条を、架空電線の上方に略平行に設置する技術が、たとえば特許文献１に記載されている。
【０００３】
この従来技術では、防鳥用索条であるライン材の長手方向に間隔をあけて繋がれた複数の起立体が着脱可能に取り付けられた連装部材を、間接活線工具によって架空電線に近付け、複数の起立体のうちでライン材の一方側の最も端に繋がれた起立体を架空電線に取り付ける第１工程と、連装部材を架空電線の他方側に引っ張り、第１工程で架空電線に固定した起立体を連装部材から抜き出すとともに、残りの起立体を連装部材から順次抜き出しながら、架空電線の長手方向に沿って配置し、ライン材を架空電線とほぼ平行に張架する第２工程と、ライン材に繋がれた最後の起立体を架空電線に取り付けた後、連装部材を最後の起立体から取り外す第３工程とによって、ライン材を架空電線の上方に張架する方法が提案されている。
【０００４】
起立体は、電線取付部と離隔部とを有し、電線取付部は電線を囲む電線受け部材と、電線押圧部材とを有する。電線受け部材は、上片と下片と縦片とによって略コ字状を成し、電線受け部材の開放側には、蓋部材が開閉可能に設けられ、その開放口から電線受け部材の内周側に受け入れた電線を、蓋部材で閉塞することによって、電線の離脱を防止するように構成されている。
【０００５】
連装部材は、横長の長方形の段ボール紙から成る。連装部材は、電線の長手方向に間隔をあけて起立体保持部を有する。起立体保持部は、段ボール紙を切り抜いて開口した起立体取付孔と、起立体保持部と対を成すロープ保持部とを有する。起立体取付孔は、下向き凸状であり、下部の幅の狭い孔に起立体の被把持部が差し込まれ、被把持部を係止して落下を防止するように構成されている。
【０００６】
ロープ保持部は、連装部材の一部を切り起こした段ボール片をロープ通し孔に貫通させ、ロープ通し孔から上方に向けて切り込み線が設けられ、このようなロープ通し孔によって、防鳥用索条であるライン材が束ねた状態で保持される。連装部材は、上部に折り曲げ部を有し、折り曲げ部に上部通し孔が設けられ、上部通し孔から上方に向けて切り込み線が設けられる。上部通し孔にそれぞれには、起立体の鳥返しを挿通し、折り曲げ部によって起立体の上部を支持し、各起立体がほぼ一列に保持され、連装部材から各起立体を離脱させるときには、鳥返しを上部通し孔から切り込み線に沿って外すように構成されている。
【先行技術文献】
【特許文献】
【０００７】
【特許文献１】特開２０１５−１５４５９８号公報
【発明の概要】
【発明が解決しようとする課題】
【０００８】
上記特許文献１に記載される従来技術では、連装部材から各起立体を離脱させる作業は、高所作業車のバケットに乗った作業者が間接活線工具を用いて行なわれるので、バケットの揺れ、強風などによって連装部材に外力が作用すると、連装部材が容易に変形または破損し、起立体を連装部材から容易かつ円滑に離脱させることが困難となり、防鳥用索条の張架作業の作業性が低下してしまうという問題がある。
【０００９】
本発明の目的は、防鳥用索条の張架作業の容易性および円滑性を向上することができる防鳥用索条の張架方法を提供することである。
【課題を解決するための手段】
【００１０】
本発明は、防鳥用索条が巻回された複数の鳥害防止具を電線に間隔をあけて装着して、該電線の上方に前記防鳥用索条を該電線に沿って張架する防鳥用索条の張架方法であって、
棒状の治具と、該治具を挿通可能な挿通部を有し、前記防鳥用索条が巻回された複数の鳥害防止具とを準備する器具準備工程と、
前記複数の鳥害防止具の各挿通部に前記治具を挿通して、前記治具が取付けられた前記複数の鳥害防止具の防止具組立て体を作製する組立て体作製工程と、
前記防止具組立て体の前記治具を間接活線工具によって把持し、前記防止具組立て体を前記電線に装着する装着工程と、
前記電線に装着された前記防止具組立て体の前記複数の鳥害防止具のそれぞれを、前記間接活線工具によって把持し、前記治具の長手方向に沿って順次移動させて前記治具から離脱させ、前記電線に互いに間隔をあけて固定し、各鳥害防止具間に前記防鳥用索条を張架する索条張架工程と、を含むことを特徴とする防鳥用索条の張架方法である。
【発明の効果】
【００１１】
本発明によれば、防鳥用索条の張架方法は、器具準備工程と、組立て体作製工程と、装着工程と、索条張架工程とを含む。器具準備工程では、棒状の治具と、該治具を挿通可能な挿通部を有しかつ防鳥用索条が巻回された複数の鳥害防止具とが、準備される。
【００１２】
組立て体作製工程では、複数の鳥害防止具の各挿通部に治具を挿通して、防止具組立て体を作製し、装着工程で、防止具組立て体を間接活線工具によって把持し、防止具組立て体を架空電線に装着する。架空電線に装着した防止具組立て体の複数の鳥害防止具のそれぞれは、索条張架工程において、間接活線工具によって把持し、治具の長手方向に沿って順次移動させて、治具から離脱させ、架空電線に互いに間隔をあけて固定することによって、各鳥害防止具の間にわたって防鳥用索条が張架される。
【００１３】
このように本発明では、複数の鳥害防止具の各挿通部に治具を挿通させた防止具組立て体を、間接活線工具によって把持して架空電線に取り付け、該架空電線に取り付けた防止具組立て体の鳥害防止具のそれぞれを治具から離脱させて架空電線に固定するので、治具には防鳥用索条および間接活線工具などから大きな力が作用しない、これによって、治具の変形および損傷を生じることなく、容易かつ円滑に治具から複数の鳥害防止具を離脱させ、離脱させた各鳥害防止具の間にわたって防鳥用索条を張架することができる。
【図面の簡単な説明】
【００１４】
【図１】本発明の一実施形態の防鳥用索条の張架方向で用いられる鳥害防止具１を示す正面図である。
【図２】鳥害防止具１を図１の左上から見た斜視図である。
【図３】鳥害防止具１を図１の右上から見た斜視図である。
【図４】起立部４を開いた鳥害防止具１を示す正面図である。
【図５】起立部４を開いた鳥害防止具１を図４に左上から見た斜視図である。
【図６】起立部４を開いた鳥害防止具１を図４の右上から見た斜視図である。
【図７】防鳥用索条２０が架空電線２に沿って張架された状態を示す図である。
【図８】本実施形態の防鳥用索条の張架方法の作業手順を示すフローチャートである。
【図９】防止具組立て体Ｕを示す斜視図である。
【図１０】防止具組立て体Ｕの側面図である。
【図１１】治具１１を長手方向に垂直な断面を示す拡大断面図である。
【図１２】本発明の他の実施形態の防鳥用索条の張架方法で用いられる治具１１ａを示す拡大断面図である。
【発明を実施するための形態】
【００１５】
図１は本発明の一実施形態の防鳥用索条の張架方向で用いられる鳥害防止具１を示す正面図であり、図２は鳥害防止具１を図１の左上から見た斜視図であり、図３は鳥害防止具１を図１の右上から見た斜視図である。まず、本実施形態の防鳥用索条の張架方法を実施するために用いられる鳥害防止具１の構成について説明する。
【００１６】
鳥害防止具１は、架空電線２に支持される本体部３と、本体部３の上部から上方に突出する起立部４と、本体部３の下部に設けられる操作部５とを有する。これらの本体部３、起立部４および操作部５は、耐候性および電気絶縁性に優れた熱可塑性樹脂から成り、たとえば射出成形に製造される。耐候性および電気絶縁性に優れた熱可塑性樹脂としては、たとえばポリカーボネート、ＡＢＳ（Acrylonitrile Butadiene Styrene）、ＡＥＳ（Acrylonitrile Ethylene Styrene）のいずれかを好適に用いることができる。
【００１７】
本体部３は、起立部４が設けられる上枠部６と、上枠部６の一側部に連なり、下方に延びる中枠部７と、中枠部７の下端部に連なって上枠部６とほぼ平行に延び、操作部５が設けられる下枠部８と、中枠部７と下枠部８との交差部から斜め下方に突出する把持部９と、上枠部６の他側部に架空電線２の軸線Ｌ１に平行な軸線Ｌ２まわりに矢符Ｂ１，Ｂ２方向に角変位自在に連結される蓋体１０とを有する。
【００１８】
上枠部６の中央部には、アルミニウム合金製で四角筒状の長尺材から成る治具１１を挿通可能な挿通孔１２ａを規定する挿通部１２が設けられる。把持部９は、作業者が間接活線工具によって確実に把持されるようにするため、架空電線２の軸線Ｌ１に垂直な方向に延び、かつ軸線Ｌ１に平行な方向を厚み方向とする略板状の構造体として構成される。
【００１９】
図４は起立部４を開いた鳥害防止具１を示す正面図であり、図５は起立部４を開いた鳥害防止具１を図４に左上から見た斜視図であり、図６は起立部４を開いた鳥害防止具１を図４の右上から見た斜視図である。起立部４は、上枠部６から上方、すなわち正面視において、架空電線２の軸線Ｌ１に垂直でかつ軸線Ｌ１から離反する方向に延びる固定片１３と、固定片１３の下端部に設けられ、下方に開放した逆Ｕ字状の一対のヒンジ受け片１４と、固定片１３の上端部付近から固定片１３の長手方向に垂直な方向に突出する掛合用支持片１５と、各ヒンジ受け片１４に軸線Ｌ１に平行な軸線Ｌ２まわりに矢符Ａ１，Ａ２方向に角変位可能に連結され、軸線Ｌ３に垂直でかつ軸線Ｌ３から離反する方向に延びる可動片１６と、を有する。
【００２０】
可動片１６には、軸線Ｌ３と平行に延び、可動片１６に関して左右に各一対の棒状の索条巻回用ロッド１７ａ，１７ｂ；１８ａ，１８ｂが一体に設けられる。これらの索条巻回用ロッド１７ａ，１７ｂ；１８ａ，１８ｂは、円柱状の第１部分と、第１部分の先端部に同軸に連なる逆円錐台状の第２部分とを有する。第１部分には、防鳥用索条２０が巻回され、第２部分によって第１部分に巻回された防鳥用索条２０の脱け出しが防止される。各索条巻回用ロッド１７ａ，１７ｂ；１８ａ，１８ｂの第２部分の先端部には、防鳥用索条２０を挿入して保持するための、第２部分の直径線方向に延び、第２部分の端面から第１部分に向かって幅が狭くなった切欠き２１がそれぞれ設けられる。切欠き２１の防鳥用索条２０を挿入することによって、各一対の索条巻回用ロッド１７ａ，１７ｂ；１８ａ，１８ｂに巻回した防鳥用索条２０が自己の弾性回復力または僅かな外力の作用によって切欠き２１から容易に離脱してしまうことが防止され、作業中に不所望に巻回状態が解除されてしまうという不具合の発生を防止することができるように構成されている。
【００２１】
可動片１６は、係合爪１６ｂが形成された掛合支持片１６ａを有する。掛合支持片１６ａは、可動片１６を固定片１３に嵌合させると、係合爪１６ｂが固定片１３の係止爪１５ｂに係止され、可動片１６の固定片１３に対する離脱が防止される。また、可動片１６を固定片１３に嵌合させた状態で、２つの掛合支持片１５，１６ａを間接活性工具によって挟着すると、可動片１６の掛合支持片１６ａが固定片１３の掛合支持片１５に近接する方向に弾性変形し、係合爪１６ｂが係止爪１５から離反し、可動片１６の固定片１３に対する係止状態を解除し、図４〜図６に示すように、可動片１６を固定片１３に対して開放させることができる。
【００２２】
このような構成によって、鳥害防止具１の保守点検、交換、位置の調整などのために防鳥用索条２０の挟持状態を解除する必要が生じた場合に、鳥害防止具１に対する防鳥用索条２０の係止状態を容易に解除し、防鳥用索条２０を解放することができる。
【００２３】
固定片１３には、可動片１６に対して離反する側に延びる複数の索条嵌合凹所２３が形成される。各索条嵌合凹所２３の一方または双方に防鳥用索条２０を嵌合させて、可動片１６を固定片１３に嵌合させ、係止爪１５ｂに係合爪１６ｂを係合させることによって、索条嵌合凹所２３内の防鳥用索条２０が固定片１３と可動片１６とによって挟着され、架空電線２の上方に、１または複数段で防鳥用索条２０を張架することができる。
【００２４】
操作部５を一方向に回転操作することによって、ボルト２５が本体部３に対して螺進し、本体部３の上枠部７と操作部５にボルト２５を介して連結された支持片２６とによって、本体部３に嵌合させた架空電線２を挟着することができる。蓋体１０を本体部３に対して軸線Ｌ２まわりに角変位させることによって、架空電線２を嵌合させた本体部３が閉鎖され、架空電線２の離脱が防止される。
【００２５】
図７は防鳥用索条２０が架空電線２に沿って張架された状態を示す図であり、図８は本実施形態の防鳥用索条の張架方法の作業手順を示すフローチャートであり、図９は防止具組立て体Ｕを示す斜視図であり、図１０は防止具組立て体Ｕの側面図である。
【００２６】
本実施形態の防鳥用索条の張架方法は、防鳥用索条２０が巻回された複数（本実施形態では４）の鳥害防止具１を架空電線２に間隔Ｗをあけて装着して、架空電線２の上方に防鳥用索条２０を架空電線２に沿って張架するために実施される。第１ステップＳ１の器具準備工程が実施される。この器具準備工程では、棒状の治具１１と、該治具１１を挿通可能な挿通部１２を有し、防鳥用索条２０が巻回された複数の鳥害防止具１とが準備される。
【００２７】
次に、ステップＳ２に移り、組立て体作製工程が実施される。この組立て体作製工程では、ステップＳ１において準備した複数の鳥害防止具１の挿通部１２の挿通孔１２ａのそれぞれに、図９、図１０に示すように１本の治具１１を挿通して共通に保持された状態とし、治具１１が挿通された複数の鳥害防止具１の防止具組立て体Ｕが作製される。
【００２８】
前述のステップＳ２で作製された防止具組立て体Ｕは、ステップＳ３の装着工程において、全て鳥害防止具１の各蓋体１０を開放させておき、作業現場で高所作業車３０のバッケット３１に搭乗した作業者が、治具１１を間接活線工具によって把持し、防止具組立て体Ｕが、図９、図１０に示すように、隣接する２本の電柱３２ａ，３２ｂ間に張架された架空電線２に装着される。
【００２９】
架空電線２に装着した防止具組立て体Ｕの複数の鳥害防止具１のそれぞれは、ステップＳ３の索条張架工程において、間接活線工具によって把持し、治具１１の長手方向に沿って順次移動させて、治具１１から離脱させ、架空電線２に図７に示すように、互いに間隔Ｗをあけた位置て操作部５を操作して固定することによって、各鳥害防止具１の間にわたって防鳥用索条２０が張架される。
【００３０】
このように、複数の鳥害防止具１の各挿通部１２に治具１１を挿通させた防止具組立て体Ｕを、間接活線工具によって把持して架空電線２に取り付け、該架空電線２に取り付けた防止具組立て体Ｕの鳥害防止具１のそれぞれを治具１１から離脱させて架空電線２に固定するので、治具１１には防鳥用索条２０および間接活線工具などから大きな力が作用しない、これによって、治具１１の変形および損傷を生じることなく、容易かつ円滑に治具１１から複数の鳥害防止具１を離脱させ、離脱させた各鳥害防止具１の間にわたって防鳥用索条２０を張架することができる。
【００３１】
各一対の索条巻回用ロッド１７ａ，１７ｂ；１８ａ，１８ｂに巻掛けられた防鳥用索条２０は、切欠き２１に挿入することによって係止されているので、一方の電柱３２ａに最も近接して配置される１つ鳥害防止具１を操作部５を操作して架空電線２に固定し、一方の電柱３２ａから他方の電柱３２ｂに向かって防止具組立て体Ｕを移動させることによって、切欠き２１から防鳥用索条２０が離脱し、防鳥用索条２０が垂れ下がることなく、防鳥用索条２０を架空電線２と平行に各電柱３，４間に迅速かつ安全に張架することができる。このように防止具組立て体Ｕを順次的に一方の電柱３２ａから他方の電柱３２ｂに向かって移動させることによって、巻回された防鳥用索条２０が解きほどかれ、高所での防鳥用索条２０の張架作業を容易かつ安全に行うことができ、張架作業の容易性および安全性を向上することができる。
【００３２】
図１１は治具１１を長手方向に垂直な断面を示す拡大断面図であり、図１２は本発明の他の実施形態の防鳥用索条の張架方法で用いられる治具１１ａを示す拡大断面図である。前述の実施形態で用いられる治具１１は、図１１に示すように、長手方向に垂直な断面が四角形状のアルミニウム合金から成る長尺材によって実現されたが、本発明の他の実施形態では、図１２に示すように、長手方向に垂直な断面がＸ字状の長尺材によって実現されてもよく、その他の多角形状の断面をなす長尺材によって実現されてもよい。また治具１１，１１ａは、アルミニウム合金以外の金属、たとえば耐腐食性に優れたステンレス鋼から成ってもよく、あるいは繊維強化複合材（略称ＦＲＰ）によって実現されてもよい。
【００３３】
図１１に示す治具１１によれば、挿通部１２の平坦な上部受け面１２ｂに治具１１の上面１１ｂが面接触するので、複数の鳥害防止具１を安定に支持することができる。また、図１２に示す治具１１ａによれば、平坦な上部受け面１２ｂを治具１１ａの２つの上端部１１ｃ，１１ｄによって支持するので、複数の鳥害防止具１を安定に支持することができるとともに、間接活線工具によって把持した際に挟着工具の２つの挟持片にそれぞれ形成される複数の凸状部分１９が嵌合し、ずれることなく確実に把持することできる。
【００３４】
前述の実施形態では、治具１１，１１ａが挿通する挿通部１２は、鳥害防止具１を貫通する孔として実現されたが、本発明の他の実施形態では、鳥害防止具１の側方または下方に開放する溝によって実現されてもよい。このような形態を採用する場合であっても、前述に実施形態と同様に、複数の鳥害防止具１を１本の治具によって安定に保持することができる。
【００３５】
前述の各実施形態では、４つの鳥害防止具１の挿通部１２に１本の治具を挿通して保持した防止具組立て体Ｕを用いて防鳥用索条２０を架空電線２の上方にほぼ平行に張架する方法について述べたが、本発明の他の実施形態では、５以上の鳥害防止具１を１本の治具１１によって保持した防止具組立て体を用いて、防鳥用索条２０を張架するようにしてもよい。この場合においても、前述の各実施形態と同様に、防鳥用索条２０の張架作業の容易性および円滑性を向上することができる。
【００３６】
前述の各実施形態では、固定片１３に左右に各２本の索条巻回用ロッド１７ａ，１７ｂ；１８ａ，１８ｂが設けられた鳥害防止具１を用いる構成を採用したが、本発明の他の実施形態では、各一対の索条巻回用ロッド１７ａ，１７ｂ；１８ａ，１８ｂに代えて、左右２枚の板状体によって実現し、防鳥用索条２０を巻回するように構成されてもよい。
【符号の説明】
【００３７】
１  鳥害防止具
２  架空電線
３  本体部
４  起立部
５  操作部
６  上枠部
７  中枠部
８  下枠部
９  把持部
１０  蓋体
１１  治具
１２  挿通部
１２ａ  挿通孔
１３  固定片
１４  ヒンジ受け片１４
１５  掛合用支持片１５
１６  可動片
１７ａ，１７ｂ；１８ａ，１８ｂ  索条巻回用ロッド
２０  防鳥用索条
２１  切欠き
２３  索条嵌合凹所
Ｌ１，Ｌ２，Ｌ３  軸線
【図１】
2019047615.tif 000003
【図２】
2019047615.tif 000004
【図３】
2019047615.tif 000005
【図４】
2019047615.tif 000006
【図５】
2019047615.tif 000007
【図６】
2019047615.tif 000008
【図７】
2019047615.tif 000009
【図８】
2019047615.tif 000010
【図９】
2019047615.tif 000011
【図１０】
2019047615.tif 000012
【図１１】
2019047615.tif 000013
【図１２】
2019047615.tif 000014